【手続補正書】
【提出日】平成20年9月3日(2008.9.3)
【手続補正１】
【補正対象書類名】特許請求の範囲
【補正対象項目名】全文
【補正方法】変更
【補正の内容】
【特許請求の範囲】
【請求項１】
セルフタイマによる自動撮影機能を有するカメラを制御するクレードル装置において、
前記カメラから送信された画像の動きを検知する検知手段と、
前記検知手段により前記画像の動きが検知された場合、前記セルフタイマの起動を開始する開始手段と、
前記検知手段によって検知された前記画像の最大動き量に応じて、前記セルフタイマの時間を求める手段を備えたことを特徴とするクレードル装置。
【請求項２】
前記セルフタイマが起動しているときに前記検知手段によって画像の動きが検知された場合、前記セルフタイマの起動を停止する停止手段を有することを特徴とする請求項１に記載のクレードル装置。
【請求項３】
セルフタイマによる自動撮影機能を有するカメラを制御するクレードル装置において、
前記カメラから送信された画像の動きを検知する検知手段と、
前記検知手段によって画像の動きが検知された場合であって再び画像の動きがなくなったことが検知された場合、前記セルフタイマの起動を開始する開始手段とを備えることを特徴とするクレードル装置。
【請求項４】
セルフタイマによる自動撮影機能を有するカメラを制御するクレードル装置において、
前記カメラから送信された画像の動きを検知する検知手段と、
前記検知手段が前記画像上の特定の領域で動きを検知したときに前記セルフタイマの起動を開始する開始手段と、
前記検知手段が前記特定の領域とは別の領域で動きを検知したときに前記セルフタイマの起動を停止する停止手段とを備えたことを特徴とするクレードル装置。
【請求項５】
セルフタイマによる自動撮影機能を有するカメラを制御するクレードル装置において、
前記カメラから送信された画像の解析を行う解析手段と、
前記解析手段の結果に基づいて前記カメラの動作を制御する制御手段と、
前記制御手段によって制御された際のカメラのパラメータの安定に応じて前記セルフタイマの起動を開始するタイマ開始手段とを備えたことを特徴とするクレードル装置。
【請求項６】
前記解析手段は、前記カメラから送信された画像の動きを検知する検知手段を有し、前記画像における複数の動き領域と前記複数の動き領域の面積及び重心を含むモーメント量とを求め、
前記制御手段は、前記複数の動き領域のうちの、面積が所定の範囲内にある全ての動き領域を包含するように、前記カメラに対してパン、チルト及びズームの制御を行うことを特徴とする請求項５に記載のクレードル装置。
【請求項７】
前記解析手段は、前記画像上で人物の顔を検知するように解析を行い、
前記制御手段は、前記検知した全ての顔領域を含むように前記カメラに対してパン、チルト及びズームの制御を行うことを特徴とする請求項５に記載のクレードル装置。
【請求項８】
セルフタイマによる自動撮影機能を有するカメラを制御するクレードル装置の制御方法において、
前記カメラから送信された画像の動きを検知する検知工程と、
前記検知工程において前記画像の動きを検知したときに前記セルフタイマの起動を開始する開始工程と、
前記検知工程において検知された前記画像の最大動き量に応じて、前記セルフタイマの時間を求める工程と
を有することを特徴とするクレードル装置の制御方法。
【請求項９】
セルフタイマによる自動撮影機能を有するカメラを制御するクレードル装置の制御方法において、
前記カメラから送信された画像の動きを検知する検知工程と、
前記検知工程において前記画像の動きが検知された場合であって再び該画像の動きがなくなったことが検知された場合、前記セルフタイマの起動を開始する開始工程とを有することを特徴とするクレードル装置の制御方法。
【請求項１０】
セルフタイマによる自動撮影機能を有するカメラを制御するクレードル装置の制御方法において、
前記カメラから送信された画像の動きを検知する検知工程と、
前記検知工程において前記画像上の特定の領域で動きを検知したときに前記セルフタイマの起動を開始する開始工程と、
前記検知工程において前記特定の領域とは別の領域で動きを検知したときに前記セルフタイマの起動を停止する停止工程とを有することを特徴とするクレードル装置の制御方法。
【請求項１１】
セルフタイマによる自動撮影機能を有するカメラを制御するクレードル装置の制御方法において、
前記カメラから送信された画像の解析を行う解析工程と、
前記解析工程の結果に基づいて前記カメラの動作を制御する制御工程と、
前記制御工程において制御された際のカメラのパラメータの安定に応じて前記セルフタイマの起動を開始する開始工程とを有することを特徴とするクレードル装置の制御方法。
【請求項１２】
セルフタイマによる自動撮影機能を有するカメラを制御するクレードル装置の制御方法をコンピュータに実行させるプログラムであって、
前記カメラから送信された画像の動きを検知する検知ステップと、
前記検知ステップにより前記画像の動きを検知したときに前記セルフタイマの起動を開始する開始ステップと、
前記検知ステップにおいて検知された前記画像の最大動き量に応じて、前記セルフタイマの時間を求めるステップと
を有することを特徴とする制御プログラム。
【請求項１３】
セルフタイマによる自動撮影機能を有するカメラを制御するクレードル装置の制御方法をコンピュータに実行させるプログラムであって、
前記カメラから送信された画像の動きを検知する検知ステップと、
前記検知ステップにおいて前記画像の動きが検知された場合であって再び該画像の動きがなくなったことが検知された場合、前記セルフタイマの起動を開始する開始ステップとを有することを特徴とする制御プログラム。
【請求項１４】
セルフタイマによる自動撮影機能を有するカメラを制御するクレードル装置の制御方法をコンピュータに実行させるプログラムであって、
前記カメラから送信された画像の動きを検知する検知ステップと、
前記検知ステップにおいて前記画像の特定の領域で動きを検知したときに前記セルフタイマの起動を開始する開始ステップと、
前記検知ステップにおいて前記特定の領域とは別の領域で動きを検知したときに前記セルフタイマの起動を停止する停止ステップとを有することを特徴とする制御プログラム。
【請求項１５】
セルフタイマによる自動撮影機能を有するカメラを制御するクレードル装置の制御方法をコンピュータに実行させるプログラムであって、
前記カメラから送信された画像の解析を行う解析ステップと、
前記解析ステップの結果に基づいて前記カメラの動作を制御するカメラ制御ステップと、
前記カメラ制御ステップにおいて制御された際のカメラのパラメータの安定に応じてセルフタイマの起動を開始する開始ステップとを有することを特徴とする制御プログラム。
【手続補正２】
【補正対象書類名】明細書
【補正対象項目名】発明の名称
【補正方法】変更
【補正の内容】
【発明の名称】クレードル装置及びその制御方法、並びに制御プログラム
【手続補正３】
【補正対象書類名】明細書
【補正対象項目名】０００１
【補正方法】変更
【補正の内容】
【０００１】
本発明は、セルフタイマによる自動撮影機能を有するカメラを制御するクレードル装置及びその制御方法、並びに前記制御方法を実現するための制御プログラムに関する。
【手続補正４】
【補正対象書類名】明細書
【補正対象項目名】０００６
【補正方法】変更
【補正の内容】
【０００６】
本発明は上記従来の問題点に鑑み、カメラのセルフタイマを遠隔から制御するに際し、リモコンなどの遠隔操作装置がない場合にも、セルフタイマによる自動撮影を容易に行うことができるクレードル装置及びその制御方法、並びに制御プログラムを提供することを目的とする。
【手続補正５】
【補正対象書類名】明細書
【補正対象項目名】０００７
【補正方法】変更
【補正の内容】
【０００７】
本発明は上記目的を達成するため、セルフタイマによる自動撮影機能を有するカメラを制御するクレードル装置において、前記カメラから送信された画像の動きを検知する検知手段と、前記検知手段により前記画像の動きが検知された場合、前記セルフタイマの起動を開始する開始手段と、前記検知手段によって検知された前記画像の最大動き量に応じて、前記セルフタイマの時間を求める手段を備えたことを特徴とする。